(57)【要約】【課題】カバー部材の汎用性を高めることにより、管部材の位置や太さに対応してカバー部材の取り付け作業の容易化を図ること。【解決手段】防水パン１０を形成する面に貫通して配置される管部材Ｐが設けられ、当該管部材Ｐの周りに防水用のカバー部材２２が取り付けられている。カバー部材２２は、防水パン１０に取り付け可能な開口部２３と、管部材Ｐを挿通させるための挿通路形成部２４とを備えた袋状に設けられている。カバー部材２２は、管部材Ｐの位置に応じて挿通路２４Ａの位置を調整可能なフィルム若しくはシートにより構成されている。【選択図】　　　図２
2004100163.tif 000002
【特許請求の範囲】
【請求項１】
防水パンを形成する面に貫通して配置される管部材周りに防水用のカバー部材を取り付ける配管構造であって、
前記カバー部材は、前記防水パンに取り付け可能な開口部と、所定の開通操作で形成可能な管部材の挿通路形成部とを備えた袋状に設けられると共に、前記管部材の位置に応じて挿通路の位置を調整可能なフィルム若しくはシートにより構成されていることを特徴とする配管構造。
【請求項２】
前記挿通路形成部は、袋状のフィルム若しくはシートを扁平に折り畳んだ状態で、平面視略波状に連続した領域に設けられていること特徴とする請求項１記載の配管構造。
【請求項３】
前記防水パンにおける開口部の取付位置に、外周面に凹部又は絞り部を備えた立ち上がり部が設けられ、前記開口部は、凹部又は絞り部に取り付けられることを特徴とする請求項１又は２記載の配管構造。
【請求項４】
前記カバー本体の開口部側には、当該開口部の近傍領域を立ち上がり部に密着させる締め付け部材が一体的に設けられていることを特徴とする請求項３記載の配管構造。
【請求項５】
前記開口部を立ち上がり部に取り付けたときに、開口部の近傍領域を立ち上がり部に密着させるバックアップ部材を装着したことを特徴とする請求項３又は４記載の配管構造。
【発明の詳細な説明】
【０００１】
【発明の属する技術分野】
本発明は、配管構造に係り、更に詳しくは、防水パンと管部材との間にカバー部材を設けた配管構造に関する。
【０００２】
【従来の技術】
今日の住宅にあっては、いわゆるシステムバスルームが広く普及するに至っており、このようなバスルームの配管構造としては、特開平１０−１５２８７３号公報に開示されたタイプのものが存在する。
【０００３】
同公報の配管構造は、防水パンに給水管等の管部材を挿通させる穴を設け、当該穴内に位置する管部材周りにカバー部材を取り付けて穴からの漏水を防止するようになっている。カバー部材はゴムパッキンにより構成されており、このゴムパッキンは、管部材に沿って立ち上がるように形成された貫通部と、この貫通部の下端側に連なる蛇腹部とを備えて構成されている。
【０００４】
ここで、管部材の位置や太さは、その性質上、バスルーム毎にそれぞれ異なる場合が多い。従って、前記ゴムパッキンを取り付けるときに、貫通部と管部材との位置にずれが生じたり、貫通部の内径と管部材の外径が一致しない場合、ゴムパッキンを弾性変形させることで貫通部と管部材との密閉性を保つようになっている。
【０００５】
【発明が解決しようとする課題】
しかしながら、前記ゴムパッキンにあっては、ある程度の定形性を維持できるように形成されているので、管部材の位置や太さに応じて変形させるために多大な労力を要する場合がある。しかも、ゴムパッキンを弾性変形させてシールした場合には、変形領域の基部に継続的な負荷が加わる状態となるため、当該部位が経時的に劣化し易くなる傾向をもたらし、シール性についての信頼性を十分に担保できないという不都合がある。更に、ゴムパッキンは、比較的複雑な形状をなす大型の一体成型品であり、コスト的な負担も大きい。このため、前述した配管構造には、種々の改良の余地が残されている。
【０００６】
【発明の目的】
本発明は、前述した改良すべき点に着目して案出されたものであり、その目的は、管部材の位置や太さに対応してカバー部材を容易に取り付け可能にするとともに、カバー部材の位置調整に際して変形に伴う負荷を軽減しつつ汎用性を向上させることができる配管構造を提供することにある。
【０００７】
また、本発明の他の目的は、コスト低減を図ることができ、また、カバー部材の防水性を十分に確保することができる配管構造を提供することにある。
【０００８】
【課題を解決するための手段】
前記目的を達成するため、本発明は、防水パンを形成する面に貫通して配置される管部材周りに防水用のカバー部材を取り付ける配管構造であって、
前記カバー部材は、前記防水パンに取り付け可能な開口部と、所定の開通操作で形成可能な管部材の挿通路形成部とを備えた袋状に設けられると共に、前記管部材の位置に応じて挿通路の位置を調整可能なフィルム若しくはシートにより構成される、という構成を採っている。このような構成によれば、カバー部材を取り付けるときに、管部材の位置に対応してカバー部材を難なく変形させることができる。これにより、例えば、バスルーム毎に管部材の位置が異なる場合であっても、カバー部材の取り付け作業の容易化を図ることができ、カバー部材の汎用性を高めることが可能となる。しかも、フィルム若しくはシートによりカバー部材を構成したので、大きく変形させることができる他、構成の簡略化を通じてコスト的な負担も軽減される。
【０００９】
【発明の実施の形態】
本発明において、前記挿通路形成部は、袋状のフィルム若しくはシートを扁平に折り畳んだ状態で、平面視略波状に連続した領域に設けられる、という構成を採ることが好ましい。このような構成では、破断等の手法によって挿通路形成部に管部材を挿通させるための穴が形成される。このとき、前記波の高さに対して破断する位置を調整することにより、前記穴の径寸法を管部材の太さに対応して微調整することができ、これにより、管部材の径にフィットさせることができ、防水性を担保することが可能となる。しかも、挿通路形成部を波状としたので、簡単な構造で前記穴を複数箇所に形成することができ、管部材が複数本設置されている場合であっても、これに容易に対応することが可能となる。
【００１０】
また、前記防水パンにおける開口部の取付位置に、外周面に凹部又は絞り部を備えた立ち上がり部が設けられ、前記開口部は、凹部又は絞り部に取り付けられる、という構成も採用することができる。このような構成を採れば、カバー部材と防水パンとの取付構造の簡略化を達成することができ、且つ、カバー部材の取り付け状態をしっかりと確保することが可能となる。
【００１１】
更に、前記カバー本体の開口部側には、当該開口部の近傍領域を立ち上がり部に密着させる締め付け部材が一体的に設けられる、という構成を採ることができる。このような構成により、防水性を十分に維持しつつ、別部材を用いることなくカバー部材を立ち上がり部に容易に取り付けることができる。
【００１２】
また、前記開口部を立ち上がり部に取り付けたときに、開口部の近傍領域を立ち上がり部に密着させるバックアップ部材を装着するとよく、これによれば、カバー部材の防水性を一層高めることが可能となる。
【００１３】
【実施例】
以下、本発明がシステムバスルーム用の防水パンに適用された実施例を図面を参照しながら説明する。
【００１４】
図１には、本実施例に係る防水パンの概略斜視図が示され、図２には、図１の要部拡大斜視図が示されている。これらの図において、防水パン１０は、図１中左側に形成された浴槽を設置するための浴槽載置部１１と、この浴槽載置部１１の同図中右側に連なって洗い場を形成する洗い場部１２と、浴槽載置部１１及び洗い場部１２の外周側に連なる平面部１３とを備えて構成されている。ここで、平面部１３には、その図１中奥行側中央領域に上下方向に開口する穴部１５が形成されている。
【００１５】
前記穴部１５は、平面視略円形に形成されるとともに、本実施例では、その内部に上下方向に沿って延びる三本の管部材Ｐが貫通して配置されている。図３に示されるように、穴部１５には、当該穴部１５の形成縁に係合可能な立ち上がり部１６が装着されている。この立ち上がり部１６は、平面部１３の面位置に対して若干起立する方向に延びる略円筒状の筒状部１８と、この筒状部１８の上下方向中間部と下端部の各外周面に連なるとともに、穴部１５の形成縁領域を上下方向から挟み込み可能な二股状の保持部１９と、この保持部１９の上方における筒状部１８の外周側に形成されるとともに、断面視横向きコ字状をなす凹部２０とを備えて構成されている。
【００１６】
前記管部材Ｐは、前記バスルームの床面若しくは壁面に設置されるとともに、穴部１５を通過して平面部１３から突出する方向に設けられている。管部材Ｐは、特に限定されるものでないが、本実施例では、給水管Ｐ１、給湯管Ｐ２及び追い焚き管Ｐ３により構成されている。ここで、管部材Ｐの周りには、防水用のカバー部材２２が取り付けられている。
【００１７】
前記カバー部材２２は、本実施例では、ポリエチレン等の樹脂フィルムを用いた袋状に構成され、立体的な定形性を維持することなく、はさみ等で破断可能な厚さに設定されている。カバー部材２２は、前記袋の一端側（図３中下端側）に形成され防水パン１０の立ち上がり部１６に取り付け可能な開口部２３と、この開口部２３の反対側の端部（同図中上端側）に設けられた挿通路形成部２４とを備えて構成されている。
【００１８】
前記開口部２３は、立ち上がり部１６を上方から被覆可能な開口面積を備えている。開口部２３には、リング状のゴムバンドにより構成される締め付け部材２６が設けられている。この締め付け部材２６は、開口部２３の周辺領域を上方に折り返して溶着又は接着することで周方向に形成された通路２３Ａに挿入されてカバー部材２２と一体化されている。また、締め付け部材２６のリング内径寸法は、立ち上がり部１６の外径寸法より小さく設定されており、これにより、開口部２３を立ち上がり部１６に取り付けたときに、開口部２３の近傍領域を立ち上がり部１６に密着させて確実に取り付けることができるようになっている。
【００１９】
前記挿通路形成部２４は、図５に示されるように、カバー部材２２を扁平に折り畳んだ状態で、前記開口部２３の反対側において平面視略波状に連続した領域に設けられている。具体的には、挿通路形成部２４は、カバー部材２２の図５中上端側を前記波の頂部２７が三箇所、底部２８が二箇所に形成されるような端縁形状とした後、当該端縁に沿って相互に重なるフィルムを接着又は溶着することにより形成されている。従って、挿通路形成部２４は、カバー部材２２の上端側を閉塞するように形成され、管部材Ｐを挿通させるときに、はさみ等により図５中左右方向（例えば、同図中Ｃ１〜Ｃ３位置）に沿って破断することで内外に開通する挿通路２４Ａを形成して用いられる。
【００２０】
なお、図２ないし図４に示される符号２９は、開口部２３の近傍領域を立ち上がり部１６に、より確実に密着させるためのバックアップ部材２９であり、当該バックアップ部材２９は、本実施例ではゴムバンドにより構成されている。
【００２１】
以上の構成において、立ち上がり部１６にカバー部材２２を取り付ける場合、先ず、挿通路形成部２４を破断して管部材Ｐを挿通させるための挿通路２４Ａを形成する。この際、破断位置を図５中上下方向に調整することで、管部材Ｐの太さに対応して挿通路２４Ａの径寸法を調整することができる。次に、各挿通路２４Ａに管部材Ｐを挿通させた後、開口部２３を締め付け部材２６の弾力に抗して拡開させて立ち上がり部１６に被せ、締め付け部材２６の作用により凹部２０の内面に開口部２３を密着させて開口部２３を凹部２０に確実に取り付ける。この状態で、凹部２０内に位置する開口部２６の近傍領域にバックアップ部材２９を装着する。そして、挿通路形成部２４を高く持ち上げ、ビニールテープ３１によって管部材Ｐに挿通路形成部２４を密着させることにより、カバー部材２２の取り付けが完了する。
【００２２】
従って、このような実施例によれば、カバー部材２２を樹脂フィルムにより構成したから、施工現場毎に管部材Ｐの位置にばらつきが生じてしまっていても、これに応じてカバー部材２２を変形させることにより、挿通路形成部２４の位置を楽に調整することができ、カバー部材２２の汎用性を向上させることが可能となる。また、カバー部材２２の開口部２３を立ち上がり部１６の凹部２０に密着させて確実に取り付けることができ、開口部２６の不用意なる脱落を防止して穴部１５からの漏水を防止することができる。
【００２３】
また、挿通路形成部２４を破断することで内外に開通する構成としたから、管部材Ｐの本数が増減した場合であっても、当該本数に応じて挿通路２４Ａの形成数を調整することができ、カバー部材２２の閉塞状態を常に維持して防水性を確保することができる。更に、カバー部材２２は、樹脂製の袋を加工することにより形成されているから、市販のビニール袋等に前述した加工を施すことによっても、カバー部材２２を作ることができる。
【００２４】
なお、前記立ち上がり部材１６は、図示構成例に限定されるものでなく、種々の設計変更が可能である。例えば、図６に示されるように、防水パン１０の穴部１５に沿って立ち上がり部３２を一体的に形成し、当該立ち上がり部３２の外周にカバー部材２２の開口部２３を取り付け可能な絞り部３３を設けてもよい。
【００２５】
また、前記実施例において、カバー部材２２を上下方向に延びる管部材Ｐに取り付けた場合を説明したが、これに限られるものでなく、例えば、水平方向や斜め方向に延びる管部材Ｐにもカバー部材２２の向きを変えるだけで前述と同様に取り付け可能であり、その作用、効果も同様に得ることができる。
【００２６】
更に、前記挿通路形成部２４の頂部２７及び底部２８の形成数は、管部材Ｐの本数に応じて適宜増減させてもよい。
【００２７】
また、前記カバー部材２２の材質は、樹脂フィルムに限られるものでなく、防水性を備えたものであれば、紙や布等のシートを用いてもよい。
【００２８】
更に、前記締め付け部材２６及びバックアップ部材２９は、ゴムバンドに限定されるものでなく、開口部２３の周辺領域を立ち上がり部１６に密着させて取り付けることができる限りにおいて種々の設計変更が可能である。
【００２９】
本発明を実施するための最良の構成、方法などは、以上の記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上に述べた実施例に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００３０】
【発明の効果】
以上説明したように、本発明におけるカバー部材は、管部材の位置に応じて挿通路形成部の位置を調整可能なフィルム若しくはシートを用いた袋状としたから、バスルーム毎に管部材の位置が異なる場合であっても、これに対応してカバー部材を無理なく変形させることができ、これにより、カバー部材の施工性や汎用性を向上させることが可能となる。
【００３１】
また、挿通路形成部は、袋状のフィルム若しくはシートを扁平に折り畳んだ状態で平面視略波状に連続した領域に設けられているから、破断等の手法により挿通路形成部に管部材を挿通させるための穴を形成することができ、波の高さに対して破断位置を調整することにより、穴の径寸法をアナログ的に設定することが可能となる。これにより、管部材の太さが変化している場合であっても、これに十分に対応してフィットさせることができ、防水性も高めることが可能となる。
【００３２】
更に、カバー部材の開口部は、防水パンにおける立ち上がり部の外周面に設けられた凹部又は絞り部に取り付けられるから、カバー部材と防水パンとの取付構造の簡略化を図ることができるばかりでなく、カバー部材の取り付け状態をしっかりと維持することが可能となる。
【００３３】
また、カバー本体の開口部側に締め付け部材を一体的に設けた場合には、特別な工具や別部材を用いることなく、カバー部材を立ち上がり部にスムースに取り付けることができる。
【００３４】
更に、開口部の近傍領域を立ち上がり部に密着させるバックアップ部材を用いた場合には、カバー部材の防水性を一層高めることができる。
【図面の簡単な説明】
【図１】本実施例に係る配管構造が適用された防水パンの概略斜視図。
【図２】図１の要部拡大斜視図。
【図３】図２のＡ−Ａ線に沿う断面図。
【図４】図３のＢ部拡大断面図。
【図５】カバー部材の平面図。
【図６】変形例に係る図４と同様の断面図。
【符号の説明】
１０・・・防水パン、１６，３２・・・立ち上がり部、２０・・・凹部、２２・・・カバー部材、２３・・・開口部、２４・・・挿通路形成部、２４Ａ・・・挿通路、２６・・・締め付け部材、２９・・・バックアップ部材、３３・・・絞り部、Ｐ・・・管部材
【図１】
2004100163.tif 000003
【図２】
2004100163.tif 000004
【図３】
2004100163.tif 000005
【図４】
2004100163.tif 000006
【図５】
2004100163.tif 000007
【図６】
2004100163.tif 000008